(57)【特許請求の範囲】
【請求項１】
マシン型通信（ＭＴＣ）対応のユーザー装置（ＵＥ）における小データ伝送を可能にする方法であって、
ＭＴＣの小データ伝送に関するシステム情報を含むシステム情報ブロック（ＳＩＢ）を、ｅＮＢ（Evolved  Node  B）から前記ＵＥにより受信するステップと、
前記ＳＩＢに含まれるシステム情報を読み取るステップと、
前記ＳＩＢに含まれる前記システム情報に基づいて、前記ＵＥから前記ｅＮＢへ前記小データ伝送を実行するステップと、
を含み、
前記ＵＥにおいて前記ｅＮＢから受信された前記ＳＩＢ内の小データペイロードを読み取るステップ、
を更に含み、
前記ＳＩＢは、他のＳＩＢに対するポインタを含む、
方法。
【請求項２】
前記ＳＩＢに含まれる前記システム情報内の小データ伝送インジケータを読み取るステップと、
前記ｅＮＢから受信された前記小データ伝送インジケータに応答して、前記ＵＥによる前記ｅＮＢとの高速無線リソース制御（Radio  Resource  Control：ＲＲＣ）接続を実行することにより、前記小データ伝送を行うステップと、
を更に含む、請求項１に記載の方法。
【請求項３】
前記ＳＩＢに含まれる前記システム情報内の小データ伝送コマンド要求を読み取るステップと、
前記ｅＮＢから受信された前記小データ伝送コマンド要求に応答して、前記ＵＥにより前記ｅＮＢへアップリンク測定データを送ることにより、前記小データ伝送を行うステップと、
を更に含む、請求項１に記載の方法。
【請求項４】
前記小データペイロードは、サブスクリプションとネットワークオペレータポリシーとのうち少なくとも１つに従って定められる、
請求項１に記載の方法。
【請求項５】
前記ＳＩＢ内の前記小データペイロードを読み取る前記ステップは、前記ＵＥにおいて、交通渋滞アプリケーションと、エネルギー消費アプリケーションと、住宅監視アプリケーションと、駐車案内アプリケーションと、電気的検針アプリケーションとのうち少なくとも１つに関する小データを読み取るステップを含む、
請求項１に記載の方法。
【請求項６】
高速ＲＲＣ接続を実行する前記ステップは、前記ＵＥと前記ｅＮＢとの間で、ベアラの確立を行わずに、ＲＲＣ接続設定フェーズを実行するステップを含む、
請求項２に記載の方法。
【請求項７】
前記ＳＩＢに含まれる前記システム情報に基づいて前記ＵＥから前記ｅＮＢへの前記小データ伝送を実行する前記ステップは、
前記ＳＩＢの読取り後に、ランダムアクセスチャネル（ＲＡＣＨ）を用いて、前記ＵＥと前記ｅＮＢとの間の接続を形成するステップと、
前記小データ伝送を行うために、前記ＵＥと前記ｅＮＢとの間で前記高速ＲＲＣ接続を実行するステップと、
を更に含む、
請求項６に記載の方法。
【請求項８】
前記高速ＲＲＣ接続が実行された後に、前記ＵＥによりＲＲＣアイドルモードに入るステップ、
を更に含む、請求項６に記載の方法。
【請求項９】
前記ＳＩＢを前記ｅＮＢから前記ＵＥにより受信する前記ステップは、
前記ＳＩＢが前記ＵＥに関するシステム情報を含むことを示すページング通知を、前記ｅＮＢから前記ＵＥにより受信するステップ、
を更に含み、
前記ページング通知は、前記ＵＥのページング周期に従って受信される、
請求項１に記載の方法。
【請求項１０】
マシン型通信（ＭＴＣ）対応のユーザー装置（ＵＥ）であって、
ｅＮＢ（Evolved  Node  B）からマルチキャスト情報転送メッセージを受信するマルチキャスト情報転送メッセージモジュールと、
ここで前記マルチキャスト情報転送メッセージは、システム情報ブロック（ＳＩＢ）に含まれる、前記ＵＥによる小データ伝送に関する更新システム情報を、前記ＵＥに通知し、
前記ｅＮＢからの前記マルチキャスト情報転送メッセージによって前記ＳＩＢの変更を通知された場合に、前記ＳＩＢ内の前記更新システム情報を読み取るＳＩＢモジュールと、
ここで前記ＳＩＢ内の前記更新システム情報は、前記ＵＥにより行われる小データ伝送に関し、
前記マルチキャスト情報転送メッセージの一部として含まれる前記更新システム情報に基づいて、前記小データ伝送を前記ｅＮＢに伝達する小データ伝送モジュールと、
を備え、
前記マルチキャスト情報転送メッセージモジュールは更に、前記マルチキャスト情報転送メッセージに含まれる小データペイロードを読み取り、
前記ＳＩＢは、他のＳＩＢに対するポインタを含む、
ユーザー装置（ＵＥ）。
【請求項１１】
前記マルチキャスト情報転送メッセージモジュールは更に、前記ＵＥの無線リソース制御（ＲＲＣ）アイドルモードの間に、前記ｅＮＢから前記マルチキャスト情報転送メッセージを受信する、
請求項１０に記載のＵＥ。
【請求項１２】
前記マルチキャスト情報転送メッセージモジュールは更に、前記ＲＲＣアイドルモードの間に、前記ＵＥのページング周期に従って、前記ｅＮＢから前記マルチキャスト情報転送メッセージを受信する、
請求項１１に記載のＵＥ。
【請求項１３】
前記マルチキャスト情報転送メッセージは、小データ伝送インジケータと、小データコマンド要求とのうち少なくとも１つを含む、
請求項１０に記載のＵＥ。
【請求項１４】
前記ＳＩＢモジュールは更に、前記更新システム情報に含まれる小データ伝送インジケータを読み取り、ここで前記更新システム情報は、前記ＵＥによって前記マルチキャスト情報転送メッセージに含まれて受信され、
前記小データ伝送モジュールは更に、前記マルチキャスト情報転送メッセージに含まれて受信された前記小データ伝送インジケータに応答して、前記ｅＮＢと無線リソース制御（ＲＲＣ）接続を確立することにより、前記小データ伝送を実行する、
請求項１０に記載のＵＥ。
【請求項１５】
前記ＳＩＢモジュールは更に、前記更新システム情報に含まれる小データ伝送コマンド要求を読み取り、ここで前記更新システム情報は、前記ＵＥによって前記マルチキャスト情報転送メッセージに含まれて受信され、
前記小データ伝送モジュールは更に、前記マルチキャスト情報転送メッセージの一部として受信された前記小データ伝送コマンド要求に応答して、前記ＵＥにより前記ｅＮＢへアップリンク測定データを送ることによって、前記小データ伝送を実行する、
請求項１０に記載のＵＥ。
【請求項１６】
前記マルチキャスト情報転送メッセージモジュールは、更に、
前記ＵＥの前記ＲＲＣアイドルモードの間に、物理的ダウンリンク制御チャネル（Physical  Downlink  Control  Channel：ＰＤＣＣＨ）をモニタリングし、
前記マルチキャスト情報転送メッセージが前記ｅＮＢから受信されることを示すマルチキャスト無線ネットワーク一時識別子（ＭＣ−ＲＮＴＩ）を特定する、
請求項１１に記載のＵＥ。
【請求項１７】
マシン型通信（ＭＴＣ）対応のユーザー装置（ＵＥ）における小データ伝送を可能にするプログラムであって、
マシンに、
ＭＴＣの小データ伝送に関するシステム情報を含むシステム情報ブロック（ＳＩＢ）を、ｅＮＢ（Evolved  Node  B）から前記ＵＥにより受信するステップと、
前記ＵＥにより、前記小データ伝送に関する前記システム情報を含む前記ＳＩＢを読み取るステップと、
前記ＵＥにより読み取られた前記システム情報に基づいて、前記ＵＥから前記ｅＮＢへ前記小データ伝送を実行するステップと、
を実行させ、
前記ＵＥにおいて前記ｅＮＢから受信された前記ＳＩＢ内の小データペイロードを読み取るステップ、
を更に実行させ、
前記ＳＩＢは、他のＳＩＢに対するポインタを含む、
プログラム。
【請求項１８】
前記システム情報は、小データ伝送インジケータと、小データコマンド要求とのうち少なくとも１つを含む、
請求項１７に記載のプログラム。
【請求項１９】
前記ＵＥの無線リソース制御（ＲＲＣ）アイドルモードの間に、前記ｅＮＢからマルチキャスト情報転送メッセージを受信することに基づいて、前記ＳＩＢを読み取るステップ、
を更に含み、
前記マルチキャスト情報転送メッセージは、小データ伝送に関するシステム情報が前記ＳＩＢに含まれることを示す、
請求項１７に記載のプログラム。
【発明の詳細な説明】
【技術分野】
【０００１】
本発明は、マシン型通信（ＭＴＣ）対応のユーザー装置（ＵＥ）における小データ伝送を可能にする方法及び装置に関する。
【背景技術】
【０００２】
一般に、マシンツーマシン（Ｍ２Ｍ）通信又はマシン型通信（ＭＴＣ）とは、無線又は有線のシステムが人間の介在なしに他のデバイスと通信できるようにする技術をいう。Ｍ２Ｍ通信では、センサー又はメーター等のデバイスを用いて情報を収集する場合がある。Ｍ２Ｍデバイスは、モバイルネットワーク（例えば無線、有線、ハイブリッド）を介して、ＭＴＣアプリケーションサーバー（例えばソフトウェアプログラム）と通信することができる。ＭＴＣアプリケーションサーバーは、Ｍ２Ｍデバイスからのデータを利用したり、Ｍ２Ｍデバイスからデータを要求したりすることができる。
【発明の概要】
【発明が解決しようとする課題】
【０００３】
モバイルネットワーク（ブロードバンド無線アクセスネットワーク、広域ネットワーク等）が、スピード及び帯域幅の増加と無線通信の電力の減少とに伴って世界中に拡大することにより、Ｍ２Ｍ通信の発展が促進されている。Ｍ２Ｍデバイスにより送出されるデータ量は非常に小さいが、多くのデバイスが無線ネットワークに接続され同時に使用されることで、データ負荷が増大し、ネットワークに掛かる間接費も増大するおそれがある。したがって、小データペイロード（例えばマシン型通信データ）を伝送するための従来の技術では、新興のモバイルネットワークに対応できないか、或いは互換性がない。
【課題を解決するための手段】
【０００４】
上記課題を解決するため、本発明の実施形態は、マシン型通信（ＭＴＣ）対応のユーザー装置（ＵＥ）における小データ伝送を可能にする方法及び装置を提供する。
【０００５】
一実施形態によれば、該方法は、ＭＴＣの小データ伝送に関するシステム情報を含むシステム情報ブロック（ＳＩＢ）を、ｅＮＢ（Evolved  Node  B）から該ＵＥにより受信するステップと、該ＳＩＢに含まれるシステム情報を読み取るステップと、該ＳＩＢに含まれる該システム情報に基づいて、該ＵＥから該ｅＮＢへ該小データ伝送を実行するステップと、を含む。
【０００６】
一実施形態によれば、マシン型通信（ＭＴＣ）対応のユーザー装置（ＵＥ）は、ｅＮＢ（Evolved  Node  B）からマルチキャスト情報転送メッセージを受信するマルチキャスト情報転送メッセージモジュールを備える。該マルチキャスト情報転送メッセージは、システム情報ブロック（ＳＩＢ）に含まれる、該ＵＥによる小データ伝送に関する更新システム情報を、該ＵＥに通知する。また、該ＵＥは、該ｅＮＢからの該マルチキャスト情報転送メッセージによって該ＳＩＢの変更を通知された場合に、該ＳＩＢ内の該更新システム情報を読み取るＳＩＢモジュールを備える。該ＳＩＢ内の該更新システム情報は、該ＵＥにより行われる小データ伝送に関する。また、該ＵＥは、該マルチキャスト情報転送メッセージの一部として含まれる該更新システム情報に基づいて、該小データ伝送を該ｅＮＢに伝達する小データ伝送モジュールとを備える。
【０００７】
一実施形態によれば、ｅＮＢ（Evolved  Node  B）は回路構成を有する。該回路構成は、移動管理体（Mobility  management  Entity：ＭＭＥ）からマルチキャスト情報転送メッセージを受信するステップと、該マルチキャスト情報転送メッセージをユーザー装置（ＵＥ）に送信する際に用いられるマルチキャスト無線ネットワーク一時識別子（ＭＣ−ＲＮＴＩ）を決定するステップと、該ＵＥの該ＭＣ−ＲＮＴＩに基づいて、該マルチキャスト情報転送メッセージを該ｅＮＢから該ＵＥへ送信するステップと、を実行する。該ＭＣ−ＲＮＴＩは、固定値と、該ＭＭＥから受信される国際移動電話加入者識別番号（International  Mobile  Subscriber  Identity：ＩＭＳＩ）を用いて該ｅＮＢにおいて与えられる変数値とのうちの一方である。
【図面の簡単な説明】
【０００８】
本発明の特徴及び効果は、添付の図面に併せて以下に記載する詳細な説明から明らかになるであろう。詳細な説明と添付の図面とにより、本発明の特徴が例示として説明される。
【図１】一実施例に係る、小データ伝送を実行するための構成の一例を示す概略図である。
【図２】一実施例に係る、小データ伝送を実行するための構成の別の例を示す概略図である
【図３】一実施例に係る、マルチキャスト情報転送メッセージを伝送するための構成の一例を示す概略図である。
【図４】一実施例に係る、マルチキャスト情報転送メッセージを伝送するための構成の別の一例を示す概略図である。
【図５】一実施例に係る、マルチキャスト情報転送メッセージに関連付けられた値の例を示す表である。
【図６】本発明の一実施形態に係る、マシン型通信を行うユーザー装置における小データ伝送を可能にする方法を示すフローチャートである。
【図７】一実施例に係るユーザー装置を示すブロック図である。
【図８】一実施例に係るモバイル無線デバイスを示す図である。  図示された例示的な実施形態を参照し、また、特定の用語を用いて該例示的な実施形態を説明する。しかし、当然ながら、本発明の範囲を限定するものではない。
【発明を実施するための形態】
【０００９】
本発明を開示し説明する前に、本発明は、本明細書に開示される特定の構造、処理ステップ及び材料に限定されず、関連する技術分野の当業者が認識し得るそれらの均等物にまで拡大適用されるものであると理解されたい。また、本明細書で用いられる用語は、特定の実施形態を説明する目的で用いられるに過ぎず、限定を意図するものではないことを理解されたい。
【００１０】
定義
本明細書で用いられる場合、「実質的」という言葉は、動作、特徴、特性、状態、構造、項目又は結果の範囲又は程度が、完全又はほぼ完全であることを示す。例えば、ある物が「実質的に」取り囲まれるとは、その物が完全に取り囲まれているか、ほぼ完全に取り囲まれているかのいずれかを意味する。完全な状態からの逸脱が実際にどの程度許容されるのかは、具体的な状況によって変わり得る。しかし、一般的に言えば、完全に近いということは、完全である場合と全体として同じ結果が得られるものである。「実質的」という表現は、否定的な含意で、動作、特徴、特性、状態、構造、項目又は結果が完全又はほぼ完全に欠如することを示す場合にも、同様に用いることができる。
【００１１】
他の用語は、本明細書本文の他の部分で定義される場合がある。
【００１２】
例示的な実施形態
最初に技術的実施形態の概要を以下に示し、具体的な技術的実施形態は後に詳述する。この最初に示される概要の目的は、読者が本技術をより早く理解できるようにすることであり、本技術の重要な特徴又は必須の特徴を特定するものではなく、また、請求項に記載の主題の範囲を限定するものでもない。
【００１３】
マシン型通信（ＭＴＣ）又はマシンツーマシン（Machin  to  Machine：Ｍ２Ｍ）通信は幅広く応用できる可能性があるため、デバイスのベンダー、モバイルネットワークのオペレータ及びＭＴＣの専門会社の間で大きな関心を寄せられている。本明細書で用いられるように、Ｍ２Ｍ、ＭＴＣという用語は、同意語として用いられる。ＭＴＣは、１以上の実体間で行われるデータ通信の一形態であり、必ずしも人間の介在を必要としない。一般に、ＭＴＣデバイスは、ＭＴＣ対応のユーザー装置（User  Equipment：ＵＥ）とすることができる。ＵＥは、公衆モバイルネットワーク（Public  Land  Mobile  Network：ＰＬＭＮ）を介して、ＭＴＣサーバー及び／又は他のＭＴＣデバイスと通信することができる。また、ＭＴＣデバイスは、該ＭＴＣデバイスにデータ（例えば小データペイロード）を供給する他の実体と、（例えば無線で、又はパーソナルエリアネットワーク（ＰＡＮ）を介して、又は有線で）ローカルに通信することができる。そして、ＭＴＣデバイスは、データを処理し、該データをＭＴＣサーバー及び／又は他のＭＴＣデバイスに伝送することができる。ＭＴＣデバイスには、健康管理デバイスやスマートメーター、センサー等が含まれる。
【００１４】
ＭＴＣサーバーは、ＰＬＭＮと通信することができ、また、ＰＬＭＮを介してＭＴＣデバイス（例えばＭＴＣ対応のＵＥ）と通信することができる。また、ＭＴＣサーバーは、ＩＷＦ（Interworking  Function）と通信して、サーバーからＭＴＣデバイスへの小データペイロードの伝送をトリガーすることができる。
【００１５】
ＭＴＣデバイスは、ネットワークを介して、少量のデータを伝送（すなわち送受信）することができる。少量のデータとは、一般に、数ビット〜数キロビットのデータである。ネットワークは、選択された無線アクセスネットワーク（ＲＡＮ）技術に基づく無線広域ネットワーク（ＷＷＡＮ）又は無線ローカルエリアネットワーク（ＷＬＡＮ）とすることができる。ＷＷＡＮは、ＩＥＥＥ８０２．１６規格（一般にＷｉＭＡＸ（Worldwide  Interoperability  for  Microwave  Access）と呼ばれる）や３ＧＰＰ（Third  Generation  Partnership  Project）等の移動体ネットワーク規格に基づいて動作するように構成することができる。ＩＥＥＥ８０２．１６規格には、ＩＥＥＥ８０２．１６ｅ−２００５、８０２．１６−２００９及び８０２．１６ｍ−２０１１が含まれる。３ＧＰＰ規格には、３ＧＰＰ  ＬＴＥ  Ｒｅｌｅａｓｅ  ８（２００８年第４四半期）、３ＧＰＰ  ＬＴＥ  Ａｄｖａｎｃｅｄ  Ｒｅｌｅａｓｅ  １０（２０１１年第１四半期）及び３ＧＰＰ  ＬＴＥ  Ｒｅｌｅａｓｅ  １１（２０１２年第３四半期）が含まれる。
【００１６】
Ｗｉ−ＦｉやＢｌｕｅｔｏｏｔｈ（登録商標）等の規格は、無線ローカルエリアネットワーク（ＷＬＡＮ）を提供するために用いられる。Ｗｉ−Ｆｉは、２．４ＧＨｚ、３．７ＧＨｚ及び５ＧＨｚの周波数帯域を含む無免許帯域で通信を行うための、ＩＥＥＥ（Institute  of  Electronics  and  Electrical  Engineers）８０２．１１規格セットに与えられた通称である。該規格セットには、ＩＥＥＥ８０２．１１（５ＧＨｚと３．７ＧＨｚの帯域での通信用として１９９９年発表の規格）、ＩＥＥＥ８０２．１１ｂ（２．４ＧＨｚ帯域での通信用として同じく１９９９年発表の規格）、８０２．１１ｇ（直交周波数分割多重方式（ＯＦＤＭ）及び／又は直接スペクトラム拡散（ＤＳＳＳ）を用いた２．４ＧＨｚ帯域での通信用として２００３年発表）及び８０２．１１ｎ（ＭＩＭＯ（Multiple−Input  Multiple−Output）を用いた２．４ＧＨｚと５ＧＨｚの帯域での通信用として２００９年発表）が含まれる。
【００１７】
一部の例において、ＭＴＣデバイスは、ＭＴＣサーバーからの小データ（計測値、温度等）送信要求に応答して、該小データをＷＷＡＮ又はＷＬＡＮのネットワークを介して伝送することができる。例えば、ＭＴＣサーバーは、３ＧＰＰ  ＬＴＥネットワークのＥＰＣ（Evolved  Packet  Core）を介して、ｅＮＢを含むＲＡＮと通信することができる。該ｅＮＢは、ＵＥからのデータを求める要求を送信することができる。その要求に応答して、ＭＴＣデバイスはアイドルモードから復帰し、小データを送ることができる。別の例では、ＭＴＣデバイスは、定期的にアイドルモードから復帰し、ｅＮＢを介してサーバーに小データ（例えば測定結果）を送ることができる。一般に小データは、短いデータ転送として、単一のパケット又はバーストで送信される。ＭＴＣデバイスがＷＷＡＮと接続し小データを送信することができるようにするために用いられるオーバーヘッドを減らすために、インジケータを用いて、小データ伝送が行われること無線ネットワークに通知することができる。無線ネットワークは、インジケータを用いて、小データ伝送を行うためにネットワークに接続する際に必要なオーバーヘッド量を減らすことができる。
【００１８】
一実施形態において、小データ伝送は、信号伝達オーバーヘッド、ネットワークリソース及び／又は再割当ての遅延を低減することにより、ネットワークに与える影響を最小限に抑えることができる。また、ＭＴＣデバイスは、小データペイロード送信の前に（例えば、小データペイロード送信がトリガーされた時に）、ネットワークとの接続を行い（例えば、確立された無線リソース制御（ＲＲＣ）接続によって）又は切断することができる。一部の実施形態において、小データペイロード送信がトリガーされた時に、ＵＥはＲＲＣ接続モード又はアイドルモードでｅＮＢと接続することができる。小データペイロードは、サブスクリプションごとに、或いはネットワークオペレータポリシーによって、定義及び／又は構成することができる。一部の実施形態において、データ交換のインスタンスの観測サイズは、約１Ｋ（１０２４）オクテットとすることができる。しかし、当然ながら、他のデータ交換サイズも可能である。
【００１９】
ＭＴＣデバイス（すなわちＭＴＣアプリケーション対応のＵＥ）は、小データをダウンリンク（すなわちｅＮＢからＵＥ）で伝送してもよく、アップリンク（すなわちＵＥからｅＮＢ）で伝送してもよい。ダウンリンクでの小データ伝送には、小データ伝送インジケータビットを含むことができ、アップリンクでの肯定応答を伴うことができる。肯定応答は、１以上のデータブロックの受信及び復号が成功したことを示すために送信される信号とすることができる。一部の例において、ダウンリンクでの小データ伝送に応答して肯定応答が送られることはない。ダウンリンクでの小データ伝送は、データをＵＥから引き出すための小データコマンド要求を含むことができる。また、アップリンク小データ伝送は、小データ伝送インジケータビットを含むことができ、ダウンリンクでの肯定応答を伴うことができる。アップリンクでの小データ伝送は、コマンド要求をｅＮＢから受信した後に行うことができる。
【００２０】
ＭＴＣデバイスで実行されるＭＴＣアプリケーションは、様々な分野に関するものとすることができる。例としては、セキュリティ（モニタリングシステム、ドライバーセキュリティ等）、追跡（資産追跡、ナビゲーション、交通情報、道路通行料課金等）、支払い（自動販売機、ゲーム機等）、健康（バイタルサインのモニタリング、高齢者又は障害者の支援等）、遠隔管理又は遠隔操作（センサー、照明、車両診断等）、計測（電力、ガス、水、暖房等）、家庭用機器（デジタルカメラ等）がある。
【００２１】
図１は、一実施例に係る小データ伝送を実行するための構成の一例を示す概略図である。ｅＮＢ（Evolved  Node  B）は、ユーザー装置（ＵＥ）にシステム情報ブロック（ＳＩＢ）（ＳＩＢタイプ１等）を送信することができる。一部の例において、ＵＥは、伝送する少量の情報を収集するスマートメーター又はセンサー（例えば健康管理デバイス、自動販売機、その他温度や商品等の情報を収集するよう構成されたもの）を有するか、又は接続されることができる。
【００２２】
一般に、ＳＩＢは、ＵＥに送信されるシステム情報を含むことができる。ＳＩＢは、機能的に関連した一連のパラメータを含むことができる。例えば、３ＧＰＰ（Third  Generation  Partnership  Project）のＬＴＥ（Long  Term  Evolution）では、ＳＩＢは、ＵＥがネットワークにアクセスする際に用いられる、最も頻繁に送信される限られた数のパラメータを有することができる。本発明の様々な実施形態によれば、ＳＩＢは、ＭＴＣの小データ伝送に関連するシステム情報を含むことができる。以下に詳述するように、ＵＥは一般に、システム情報を含むＳＩＢを受信するためには、アイドルモードから復帰する必要がある。
【００２３】
一般に、ＳＩＢは、システム情報及び／又はＭＴＣ対応のＵＥ固有の設定パラメータを含むことができる。また、ＳＩＢは、拡張アクセス制限（Extended  Access  Barring：ＥＡＢ）情報及び／又はアクセスクラス制限（Access  Class  Barring：ＡＣＢ）情報を含むことができる。ＥＡＢ情報は、アクセスネットワーク及び／又はコアネットワークの過負荷を防止するために、ＥＡＢ対応ＵＥからのモバイル発信（Mobile  Originating）アクセス試行を制御するのに用いることができる。混雑状態では、オペレータは、ＥＡＢ対応ＵＥからのアクセスを制限する一方、他のＵＥへのアクセスを許可することができる。ＡＣＢ情報は、ＵＥが、無線インターフェース上を信号で送られる許可されたクラスに対応する少なくとも１つのアクセスクラス（Access  Class）のメンバーでない場合に、ＵＥアクセス試行を制限するように機能する。
【００２４】
一実施形態において、ＳＩＢタイプ１（ＳＩＢ１）を用いて、小データ伝送インジケータビットを伝達することができる。一般にＳＩＢタイプ１は、ＵＥがＲＡＮ内のセルへのアクセスを許可されているかを評価する際に関連する情報を含む。また、ＳＩＢ１は、他のシステム情報のスケジューリングをＵＥに提供することができる。
【００２５】
ｅＮＢからＳＩＢを受信すると、ＵＥは、ＳＩＢに含まれるシステム情報を読み取ることができる。一部の例において、ＳＩＢは、他のＳＩＢ（例えば、ＳＩＢｘ）に含まれる更新システム情報を含むことができる。ＳＩＢｘは、ＭＴＣデバイスの小データ伝送に関連付けられるシステムパラメータに関連する情報を含むことができる。すなわち、ＵＥはｅＮＢからＳＩＢを受信することができ、ＳＩＢはＳＩＢｘに対するポインタを含むことができる。そして、ＵＥは、更新システム情報を読み取るために、ＳＩＢｘを読み取ることができる。
【００２６】
本発明の一部の実施形態において、ＵＥは、ＳＩＢに含まれるシステム情報内の小データ伝送インジケータを読み取ることができる。小データ伝送インジケータは、ＵＥに、ｅＮＢが少量のデータの伝送を希望していることを通知することができる。一部の例において、ＵＥは、システム情報内の小データ伝送コマンド要求を読み取ることができる。小データ伝送コマンド要求は、ＵＥに、ｅＮＢが該ＵＥに小データペイロード（計測データ、報告データ等）の送信を要求していることを通知することができる。
【００２７】
ＵＥは、システム情報ブロックに含まれる小データペイロードを読み取ることができる。小データペイロードは、セキュリティ、健康、計測等に関するＭＴＣアプリケーションに関連する情報を含むことができる。また、小データペイロードは、センサー又はメーターの計測結果や在庫量等の情報を含むことができる。一部の実施形態において、データペイロード（例えばＭＴＣデータペイロード）は、小データペイロードを定義するための予め設定される閾値より小さいものとすることができる。一部の実施形態において、該予め設定される閾値は、サブスクリプション又はネットワークオペレータポリシーにより設定することができる。
【００２８】
ＳＩＢを読み取ると、ＵＥは、ＳＩＢ１等のＳＩＢに含まれるシステム情報に基づいて、ｅＮＢと小データ伝送を行うことができる。例えば、ＵＥは、システム情報に含まれる小データ伝送インジケータを読み取り、それからｅＮＢとの小データ伝送を実行することができる。一部の実施形態において、ＵＥは、ｅＮＢと無線リソース制御（Radio  Resource  Control：ＲＲＣ）接続を確立することにより、小データ伝送を実行することができる。一般に、ＲＲＣプロトコルには、システム情報の送信が含まれる。ＲＲＣプロトコルはレイヤ３制御プレーン信号伝達を扱い、ＲＲＣプロトコルを用いて、Ｅ−ＵＴＲＡＮ（Evolved  Universal  Terrestrial  Radio  Access  Network）がＵＥに関連付けられた挙動を制御する。Ｅ−ＵＴＲＡＮはｅＮＢを含み、ＵＥに対して、Ｅ−ＵＴＲＡＮユーザープレーンと制御プレーン（ＲＲＣ）のプロトコルの終了を提供する。或いは、ＵＥは、ｅＮＢと「高速」ＲＲＣ接続を実行することにより、小データ伝送を行うことができる。以下に詳述するように、「高速」ＲＲＣ接続は、通常のＲＲＣ接続よりも少ないステップで構成することができる。
【００２９】
一実施形態において、ＲＲＣ接続を確立する際、ＵＥはＲＲＣ＿ＩＤＬＥモードの間にＲＲＣ接続を開始することができる。すなわち、ＵＥは、ＲＲＣ＿ＩＤＬＥモードからＲＲＣ＿ＣＯＮＮＥＣＴＥＤモードに移行することができる。ＵＥは、Ｅ−ＵＴＲＡＮにRRCConnectionRequestメッセージを送ることができる。これに応答して、Ｅ−ＵＴＲＡＮは、ＵＥにRRCConnectionSetupメッセージを送ることができる。ＵＥがRRCConnectionSetupCompleteメッセージをＥ−ＵＴＲＡＮに送信すると、ＲＲＣ接続の確立が成功となる。ＲＲＣ接続の確立が成功しなかった場合、Ｅ−ＵＴＲＡＮは、ＵＥから送られたRRCConnectionRequestメッセージに応答して、RRCConnectionRejectメッセージを送ることができる。
【００３０】
ＲＲＣ接続の再構成プロシージャを用いて、ＲＲＣ接続を変更することができる。ＲＲＣ接続を変更して、無線ベアラを確立、変更及び／又はリリースすることができる。Ｅ−ＵＴＲＡＮ（例えばｅＮＢ）は、ＲＲＣ＿ＣＯＮＮＥＣＴＥＤモードのＵＥに対して、ＲＲＣ接続再構成プロシージャを開始することができる。ｅＮＢは、ＵＥにRRCConnectionReconfigurationメッセージを送ることができる。これに応答して、ＵＥは、ｅＮＢにRRCConnectionReconfigurationCompleteメッセージを送ることができ、こうしてＲＲＣ接続の再構成が成功する。一般に、Ｅ−ＵＴＲＡＮには１以上のｅＮＢが含まれ得るが、ＵＥは任意の時に１つのｅＮＢに接続されてよい。ＲＲＣ接続の再構成が成功しなかった場合、ＵＥ及び／又はｅＮＢは、ＲＲＣ接続再確立プロシージャを開始してよい。
【００３１】
ＲＲＣ接続に対して、「高速」ＲＲＣ接続は、RRCConnectionSetupCompleteフェーズまでＵＥとＥ−ＵＴＲＡＮとの間で実行されるＲＲＣ接続を示す場合がある。上述したように、ＵＥがRRCConnectionSetupCompleteメッセージをＥ−ＵＴＲＡＮに送ると、ＲＲＣ接続の確立が成功する。「高速」ＲＲＣ接続には、ＲＲＣ接続再構成の間にＵＥとＥ−ＵＴＲＡＮとの間で行われるベアラの確立に関するメッセージのやりとりが含まれない。一般にベアラは、エンドツーエンドのトンネル又はパイプラインとして説明することができる。一般にベアラは、連続的なデータストリームが伝送される（例えば、ウェブページのダウンロードや呼び出しを始める）ときに確立される。ベアラはまた、データのサイズが小データに比べて大きいときに確立することができる。したがって、短いデータ伝送（例えば小データ伝送）を行う際は、ベアラを確立する必要がない場合がある。よって、「高速」ＲＲＣ接続を利用して、ＵＥとｅＮＢとの接続をより速く形成して、小データ伝送を行うことができる。「高速」ＲＲＣ接続が実行されると、ＵＥは、ＲＲＣ＿ＩＤＬＥモードへの移行を希望することができる。
【００３２】
ＵＥは、自身とｅＮＢとの間で「高速」ＲＲＣ接続を実行するために、ランダムアクセスチャネル（Random  Access  Channel：ＲＡＣＨ）通信を行うか又は試みることができる。一般にＲＡＣＨは、ＵＥがｅＮＢと通信を行う際に、ＵＥの送信をｅＮＢと最初に同期するために用いられる通信機構である。また、ＲＡＣＨはトランスポートチャネルであり、ＵＥが正確なアップリンクタイミング同期を有さない場合又はＵＥがアップリンク送信リソースを割り当てられていない場合に、ネットワークへのアクセスに用いることができる。したがって、ダウンリンク上の小データの指示を読み取った後に、ＵＥはＲＡＣＨを開始し実行して、ＲＲＣ＿ＣＯＮＮＥＣＴＥＤモードに入ることができる。同様に、ＵＥは、アップリンクで送られる新しいデータへのコマンド要求を読み取った後に、ＲＡＣＨを開始し実行して、ＲＲＣ＿ＣＯＮＮＥＣＴＥＤモードに入ることができる。ＲＡＣＨの実行に続いて、ＵＥは、小データ伝送を行うために「高速」ＲＲＣ接続を実行することができる。
【００３３】
一部の実施形態において、ＵＥは、ｅＮＢから受信した小データ伝送インジケータ（ＳＩＢに含まれる）の読取りに応答して、ｅＮＢと「高速」ＲＲＣ接続を実行することにより、小データ伝送を実行することができる。一部の実施例において、ＵＥは、ｅＮＢから受信した小データ伝送要求（ＳＩＢに含まれる）の読取りに応答して、アップリンク測定データ又はレポートデータをｅＮＢに送ることにより、小データ伝送を行うことができる。
【００３４】
ＵＥは、ＳＩＢに含まれる小データペイロードを読み取ることができる。小データペイロードは、サブスクリプション及び／又はネットワークオペレータポリシーに従って定めることができる。また、小データペイロードは、ＵＥ上で動作するアプリケーション（交通渋滞アプリケーション、エネルギー消費アプリケーション、住宅監視アプリケーション、駐車案内アプリケーション、電気的検針アプリケーションその他ＭＴＣ型通信）に関する小データを含むことができる。また、小データは、様々な分野（セキュリティ、健康、計測）に関するアプリケーションと関連付けることができる。場合によっては、ＵＥがアップリンクにデータを送っていないときは、ＵＥは、「高速」ＲＲＣ接続とＲＲＣ接続のどちらも確立せずに、ＳＩＢから小データ自体を読み取ることができる。
【００３５】
一部の例において、ＳＩＢは、ページング通知（すなわちページングメッセージ）に基づいて、ｅＮＢからＵＥに受信されることができる。ページング通知に小データ伝送を含めて、ＳＩＢの更新に対するポインタ（例えば、新しいＳＩＢ１ｘに対するポインタ）を示すことができる。例えばｅＮＢは、ページング通知をＵＥに送り、ＭＴＣデバイス（又はＭＴＣ対応ＵＥ）への小データ伝送に関するシステム情報がＳＩＢに含まれることを示すことができる。ページング通知は、ＵＥのページング周期（又はそれに相当する周期）に従って、ＵＥに受信される。一般に、ページングとは、ｅＮＢがＵＥ（アイドル状態）に、該ＵＥに送られる予定のダウンリンクデータ又は同報メッセージを通知する機構である。ＵＥは、アイドルモードから復帰し、ページングメッセージの内容を読み取って更新システム情報を認識すると、ｅＮＢからＳＩＢを受信するための適切なプロシージャを開始することができる。ページング機構は一般にＵＥがアイドルモードのときに生じるので、ＵＥは、アイドルモードであっても、ネットワークが自身に何らかのページングメッセージを送ろうとしているかをモニタリングすることができる。ＵＥは、アイドルモードの間に、ページング間隔に基づいて復帰してＳＩＢを読み取ってよい。一部の例において、ＳＩＢはＵＥに定期的に送られてよい。一方、ＵＥの接続モードの間に、ページング機構が生じてもよい。このように、アイドルモードと接続モードの両方において、ＳＩＢが定期的にＵＥに送られ、続いてＵＥに読み取られてよい。一般に、ページングメッセージはダウンリンクで送信されるメッセージであり、ＵＥに着信やデータの受信を通知したり、システム情報（ＳＩ）の変更を通知したりできる。ページングメッセージは、ＵＥがｅＮＢからの新しいページングメッセージを検索する頻度（例えば初期設定期間又は変更された期間）を定義するページングサイクルに従って送ることができる。
【００３６】
一部の例において、ＵＥは、アイドルモードから復帰しｅＮＢからのページングメッセージを読み取ることに続いて、ページングメッセージの識別子を決定することができる。ページングメッセージの識別子がＵＥの識別子と一致すると、ＵＥは、ダウンリンクのデータ又は送信メッセージをｅＮＢから受信するために、該ｅＮＢとのＲＲＣ接続の確立を開始することができる。
【００３７】
図２は、一実施例に係る小データ伝送を行うための構成の一例を示す概略図である。例えば、ＭＴＣ対応のＵＥは、ｅＮＢからマルチキャスト情報転送メッセージを受信することができる。すなわち、マルチキャスト情報転送メッセージを用いて、小データ伝送に関する情報を伝達することができる。また、マルチキャスト情報転送メッセージを用いて、ＭＴＣ関連の通知（例えば、スマートグリッドでのエネルギー消費警告や、牽引車サービスに関するＭＴＣアプリケーションでの交通渋滞予想等の、ＭＴＣアクティビティに関するデータ）を伝送することができる。
【００３８】
マルチキャスト情報転送メッセージにより、ＵＥに、ＳＩＢに含まれる小データ伝送に関連する更新システム情報を通知することができる。マルチキャスト情報転送メッセージは、ＵＥにより受信される新しいＳＩＢを含むことができる。一部の例において、マルチキャスト情報転送メッセージは、更新システム情報を含む新しいＳＩＢ（例えばＳＩＢ１ｘ）に対するポインタを含むことができる。したがって、ＵＥはＳＩＢ１ｘを読み取り、該ＳＩＢ１ｘに含まれるパラメータに基づいて、小データ伝送を行うことができる。
【００３９】
本発明の一部の実施形態において、マルチキャスト情報転送メッセージを、ＲＲＣ＿ＩＤＬＥモードの間のＵＥが受信することができる。
【００４０】
また、マルチキャスト情報転送メッセージは、ＲＲＣ＿ＩＤＬＥモードのＵＥのページングサイクルで受信することができる。すなわち、マルチキャスト情報転送メッセージにより、アイドルモードのＵＥをページングしてよい。ページング周期は初期設定のページング周期とすることもできるし、或いは遅延トレラントデバイス及び／若しくはＭＴＣデバイス又はＭＴＣアプリケーションに固有に定められる新しい周期とすることもできる。初期設定のページング周期としては、３２無線フレーム、６４無線フレーム、１２８無線フレーム及び２５６無線フレームといった値を用いることができる。無線フレームは、それぞれ長さ１０ミリ秒（ｍｓ）とすることができる。無線フレーム数は、ｅＮＢによって送られるマルチキャスト情報転送メッセージの周波数に応じて、ＭＴＣデバイスに合わせて更に増加させることができる（例えば１０２４無線フレーム）。よって、マルチキャスト情報転送メッセージを低周波で送信すると、結果として無線フレーム数が多くなる可能性がある。ページング周期（既存のページング周期と遅延トレラントデバイスに固有に定められた新しいページング周期とのいずれか）に基づいて、ＵＥは、ｅＮＢからのページングメッセージを定期的に検索することができる。
【００４１】
一部の例において、マルチキャスト情報転送メッセージは、小データペイロードと、小データ伝送インジケータ及び／又は小データコマンド要求を含む更新ＳＩＢとを含むことができる。
【００４２】
本発明の一部の実施形態において、ＵＥは、ｅＮＢからのマルチキャスト情報転送メッセージによりＳＩＢの変更を通知された際に、ＳＩＢに含まれる更新システム情報を読み取ることができる。ここで、ＳＩＢに含まれる更新システム情報は、ＵＥにより行われる小データ伝送に関連する。例えば、ＵＥは、更新システム情報に含まれる小データ伝送インジケータを読み取ることができる。ここで、更新システム情報は、マルチキャスト情報転送メッセージに含まれてＵＥに受信される。また、ＵＥは、更新システム情報に含まれる小データ伝送コマンド要求を読み取ることができる。ここで、更新システム情報は、マルチキャスト情報転送メッセージに含まれてＵＥに受信される。さらに、ＵＥは、マルチキャスト情報転送メッセージに含まれる小データペイロードを読み取ることができる。
【００４３】
一部の例において、ＵＥは、マルチキャスト情報転送メッセージの一部として含まれる更新システム情報に基づいて、ｅＮＢに小データ伝送を行うことができる。ＳＩＢが小データインジケータを含む場合、ＵＥは、ダウンリンク上の小データを受信することができる。一方、ＳＩＢが小データ要求を含む場合、ＵＥはアップリンク上の小データを受信することができる。一部の例において、ＵＥは、マルチキャスト情報転送メッセージで受信された小データ伝送インジケータに応答して、ｅＮＢと、ＲＲＣ接続を確立することによって、小データ伝送を行うことができる。或いは、ＵＥは、上述のように「高速」ＲＲＣ接続を実行することによって、小データ伝送を行うことができる。ＵＥはまた、マルチキャスト情報転送メッセージの一部として受信された小データ伝送コマンド要求に応答して、アップリンク測定データをｅＮＢに送ることにより、小データ伝送を行うことができる。
【００４４】
一部の例において、ＵＥは、新しいマルチキャスト情報転送メッセージを示すページングメッセージを特定するために、ＲＲＣアイドルモードの間に物理的ダウンリンク制御チャネル（Physical  Downlink  Control  Channel：ＰＤＣＣＨ）をモニタリングすることができる。一般に、ＰＤＣＣＨは、制御情報をモバイルデバイス（例えばＭＴＣデバイス）に伝送するのに用いられるダウンリンク制御チャネルである。ＰＤＣＣＨは、ページングチャネルと共通ダウンリンクチャネルとの構成を定めることができる。また、ＰＤＣＣＨは、無線システムへのアクセス制御を調整するために、アップリンク送信スケジューリング情報を定めることができる。また、ＵＥは、遅延トラレントＵＥに適した間欠受信（discontinuous  reception：ＤＲＸ）パラメータに基づく一定間隔で、ＰＤＣＣＨをモニタリングすることができる。すなわち、ＤＲＸパラメータは、ＵＥがアイドルモードから復帰しｅＮＢから受信されたページングメッセージの有無を確認する期間を、決定することができる。一部の例において、ＵＥは、ＤＲＸパラメータ以外のパラメータに基づいて、一定間隔でＰＤＣＣＨをモニタリングすることができる。
【００４５】
図３は、一実施例に係る、マルチキャスト情報転送メッセージを伝送するための構成の一例を示す概略図である。例えばｅＮＢは、移動管理体（Mobility  management  Entity：ＭＭＥ）からマルチキャスト情報転送メッセージを受信するための回路構成を有することができる。一般に、ＭＭＥは、ＵＥとコアネットワーク（ＣＮ）との信号伝達を処理する制御ノードである。また、ＭＭＥは、ベアラ及び接続管理に関する機能をサポートする。マルチキャスト情報転送メッセージは、ＭＴＣサーバー（その他ネットワーク内の要素）により開始されてからＭＭＥに送られてよく、該ＭＭＥがマルチキャスト情報転送メッセージをｅＮＢに送る。一部の例において、マルチキャスト情報転送メッセージは、ＭＭＥによって開始することができる。上述のように、マルチキャスト情報転送メッセージは、小データペイロード、小データ伝送インジケータ又は小データ伝送コマンド要求を含むことができる。小データペイロードは、ＭＴＣアプリケーション（例えば交通渋滞アプリケーション、エネルギー消費アプリケーション、住宅監視アプリケーション、駐車案内アプリケーション、電気的検針アプリケーションその他ＭＴＣデバイスとＭＴＣサーバーとの小データ伝送を伴うアプリケーション）に関するデータを含むことができる。
【００４６】
一部の例において、ｅＮＢは、マルチキャスト情報転送メッセージをＵＥに送信する際に用いられる無線ネットワーク一時識別子（Radio  Network  Temporary  Identifier：ＲＮＴＩ）を決定することができる。ＲＮＴＩは、Ｅ−ＵＴＲＡＮ内のＵＥを特定するのに用いることができ、特にメッセージをＵＥとＥ−ＵＴＲＡＮとの間で信号伝達する場合に用いることができる。具体的には、ｅＮＢは、マルチキャストに特異的に関連するＲＮＴＩ（例えばＭＣ−ＲＮＴＩ）を決定することができる。ＭＣ−ＲＮＴＩは、固定値（例えば、ＦＦＦＣ）とすることも変数値とすることもできる。変数値は、ＭＭＥから受信される国際移動電話加入者識別番号（International  Mobile  Subscriber  Identity：ＩＭＳＩ）を用いて、ｅＮＢにおいて与えられることができる。一般に、ＩＭＳＩは、各ＵＥ（例えばＭＴＣデバイス）に関連付けられる固有の番号である。
【００４７】
ＭＣ−ＲＮＴＩに基づいて、ｅＮＢは、マルチキャスト情報転送メッセージをＵＥへ送信することができる。すなわちｅＮＢは、対応するＭＣ−ＲＮＴＩを有するＵＥに、マルチキャスト情報転送メッセージを送信することができる。
【００４８】
ＭＭＥは、Ｓ１アプリケーションプロトコル（Ｓ１ＡＰ）を用いて、マルチキャスト情報転送メッセージをｅＮＢに送信することができる。また、ｅＮＢは、ＲＲＣ接続又は「高速」ＲＲＣ接続を用いて、マルチキャスト情報転送メッセージをＵＥに送信することができる。マルチキャスト情報転送メッセージに含まれる情報（例えば小データペイロード、小データ伝送インジケータ、小データ伝送コマンド要求）に応じて、ＲＲＣ接続か「高速」ＲＲＣ接続のいずれかを用いることができる。
【００４９】
ＵＥは、ＭＣ−ＲＮＴＩ値に関して、ＤＲＸパラメータ等のパラメータに基づき、ＰＤＣＣＨをモニタリングすることにより、ＭＣ−ＲＮＴＩを特定することができる。すなわち、ＰＤＣＣＨがＭＣ−ＲＮＴＩ値を含む場合に、ＵＥは新しいマルチキャスト情報転送メッセージを通知される。ＭＣ−ＲＮＴＩにより、ｅＮＢがマルチキャスト情報転送メッセージを送っていることをＵＥに示すことができる。
【００５０】
図４は、一実施例に係る、マルチキャスト情報転送メッセージを伝送するための構成の別の一例を示す概略図である。例えばｅＮＢは、マルチキャスト情報転送メッセージを、特定のＵＥ、１つのＵＥマルチキャストグループ又は複数のＵＥマルチキャストグループに送信することができる。ＭＣ−ＲＮＴＩが決定されると、ｅＮＢは、マルチキャスト情報転送メッセージを１つのＵＥマルチキャストグループに送信することができる。すなわち、決定されたＭＣ−ＲＮＴＩは、ｅＮＢあたり１つのマルチキャストグループを有する。例えば、ｅＮＢがエネルギー消費アプリケーションを使用しているＵＥにマルチキャスト情報転送メッセージのみを送る場合、該アプリケーションが決定されたＭＣ−ＲＮＴＩを用いてよい。一部の例においてＭＣ−ＲＮＴＩは可変であり、よって、ｅＮＢはマルチキャスト情報転送メッセージを複数のＵＥマルチキャストグループに送ることができる。上述したように、ＭＣ−ＲＮＴＩを用いて、Ｅ−ＵＴＲＡＮ内の差選択されたＵＥを特定することができる。
【００５１】
一例として、ｅＮＢは、健康関連のＭＴＣアプリケーションに基づいて、小データを特定のＵＥに送信することができる。別の例として、ｅＮＢは、住宅監視アプリケーションに関連する小データ伝送コマンド要求を、１つのＵＥマルチキャストグループに送信することができる。また、ｅＮＢは、交通渋滞アプリケーションに関連する小データ伝送インジケータを、複数のＵＥマルチキャストグループに送信することができる。
【００５２】
図４に示すように、ｅＮＢは、マルチキャスト情報転送メッセージを複数のＵＥ（例えばＵＥ１、ＵＥ２、ＵＥ３、ＵＥ４、ＵＥ５及びＵＥ６）に送信することができる。一例として、ＵＥ１及びＵＥ２を、ＭＣ−ＲＮＴＩＡに準じる１つのマルチキャストグループに含めることができる。また、ＵＥ４及びＵＥ５を、ＭＣ−ＲＮＴＩＢに準じる１つのマルチキャストグループに含めることができる。一部の例において、ＵＥ３及びＵＥ６を、ｅＮＢからマルチキャスト情報転送メッセージを受け取る特定のＵＥとすることができる。
【００５３】
図５は、一実施例に係る、マルチキャスト情報転送メッセージの値の例を示す表である。上述のように、マルチキャスト情報転送メッセージは、小データ伝送のために用いることができる。その値には、固定の１６進値（例えばＦＦＦＣ）が含まれてよい。また、その値は、ＩＭＳＩから得られる可変値であってもよい。マルチキャスト情報転送メッセージを特定するのに用いられるＲＮＴＩを、ＭＣ−ＲＮＴＩという場合がある。ＭＣ−ＲＮＴＩ以外にも、ＲＮＴＩには様々な種類があり、例えばセルＲＮＴＩ（Ｃ−ＲＮＴＩ）、ページングＲＮＴＩ（Ｐ−ＲＮＴＩ）、ランダムアクセスＲＮＴＩ（ＲＡ−ＲＮＴＩ）及びシステム情報ＲＮＴＩ（ＳＩ−ＲＮＴＩ）がある。
【００５４】
マルチキャスト情報転送メッセージの送信に関する値（固定値と可変値の両方）は、トランスポートチャネルとして用いられるページングチャネル（ＰＣＨ）と関連付けることができる。ＰＣＨは、ダウンリンクトランスポートチャネルであり、ページング情報をＵＥに送るのに用いられる。ＰＣＨは、ＵＥにシステム情報の更新を知らせるのにも用いることができる。また、該値（固定値と可変値の両方）は、論理チャネルとして用いられるページング制御チャネル（ＰＣＣＨ）に関連付けることができる。ＰＣＣＨはダウンリンク論理チャネルであり、ＵＥにシステム情報の変更を通知するのに用いられる。
【００５５】
図６は、本発明の一実施形態に係る、マシン型通信（ＭＴＣ）を行うユーザー装置（ＵＥ）における小データ伝送を可能にする方法６００を示すフローチャートである。該方法は、システム情報ブロック（ＳＩＢ）をｅＮＢ（Evolved  Node  B）からＵＥにより受信するステップ６１０を含む。該ＳＩＢは、ＭＴＣの小データ伝送に関する情報を含むことができる。また、方法６００は、該ＳＩＢに含まれるシステム情報を読み取るステップ６２０を含む。また、方法６００は、該ＳＩＢに含まれる該システム情報に基づいて、該ＵＥから該ｅＮＢへの小データ伝送を実行するステップ６３０を含む。
【００５６】
方法６００は、該ＳＩＢに含まれる該システム情報内の小データ伝送インジケータを読み取るステップと、該ｅＮＢから受信された該小データ伝送インジケータに応答して、該ＵＥによる該ｅＮＢとの高速無線リソース制御（無線リソース制御：ＲＲＣ）接続を実行することにより、該小データ伝送を行うステップと、を含むこともできる。
【００５７】
方法６００は、該ＳＩＢに含まれる該システム情報内の小データ伝送コマンド要求を読み取るステップと、該ｅＮＢから受信された該小データ伝送コマンド要求に応答して、該ＵＥにより該ｅＮＢへアップリンク測定データを送ることにより、該小データ伝送を行うステップと、を含むこともできる。また、方法６００は、該ＵＥにおいて該ｅＮＢから受信された該ＳＩＢ内の小データペイロードを読み取るステップを含むことができる。ここで、該小データペイロードは、少なくともサブスクリプションとネットワークオペレータポリシーとのうち少なくとも一方に従って定められる。
【００５８】
一実施形態において、方法６００におけるＳＩＢの小データペイロードを読み取るステップは、ＵＥにおいて、交通渋滞アプリケーションと、エネルギー消費アプリケーションと、住宅監視アプリケーションと、駐車案内アプリケーションと、電気的検針アプリケーションとのうち少なくとも１つに関する小データを読み取るステップを含むことができる。
【００５９】
一実施形態において、方法６００における高速ＲＲＣ接続を実行するステップは、ＵＥとｅＮＢとの間で、ベアラの確立を行わずに、ＲＲＣ接続設定フェーズを実行するステップを含むことができる。
【００６０】
一実施形態において、方法６００における、該ＳＩＢに含まれる該システム情報に基づいて該ＵＥから該ｅＮＢへの小データ伝送を実行するステップは、ＳＩＢの読取り後に、ランダムアクセスチャネル（ＲＡＣＨ）を用いて、ＵＥとｅＮＢとの間の接続を形成するステップと、該小データ伝送を行うために、該ＵＥと該ｅＮＢとの間で該高速ＲＲＣ接続を実行するステップと、を含むことができる。方法６００は、該高速ＲＲＣ接続が実行された後に、該ＵＥによりＲＲＣアイドルモードに入るステップを含むこともできる。
【００６１】
一実施形態において、方法６００における、システム情報ブロックをｅＮＢからＵＥにより受信するステップは、該ＳＩＢが該ＵＥに関するシステム情報を含むことを示すページング通知を、該ｅＮＢから該ＵＥにより受信するステップを含むことができる。ここで、該ページング通知は、該ＵＥのページング周期に従って受信される。
【００６２】
図７は、本発明の別の実施形態として、マシン型通信（ＭＴＣ）対応のユーザー装置（ＵＥ）７００の一例を示す図である。ＵＥは、ｅＮＢ（Evolved  Node  B）からマルチキャスト情報転送メッセージを受信するように動作するマルチキャスト情報転送メッセージモジュール７０２を有する。マルチキャスト情報転送メッセージは、システム情報ブロック（ＳＩＢ）に含まれる、ＵＥによる小データ伝送に関する更新システム情報を、該ＵＥに通知することができる。ＳＩＢモジュール７０４は、該ｅＮＢからの該マルチキャスト情報転送メッセージによって該ＳＩＢの変更を通知された場合に、該ＳＩＢ内の該更新システム情報を読み取るように構成される。該ＳＩＢ内の該更新システム情報は、該ＵＥにより行われる小データ伝送に関するものとすることができる。小データ伝送モジュール７０６は、小データ伝送をｅＮＢに伝達するように構成される。該小データ伝送は、マルチキャスト情報転送メッセージの一部として含まれる更新システム情報に基づくことができる。
【００６３】
一部の実施形態において、マルチキャスト情報転送メッセージモジュール７０２は更に、ＵＥの無線リソース制御（ＲＲＣ）アイドルモードの間に、ｅＮＢからマルチキャスト情報転送メッセージを受信するように構成される。また、マルチキャスト情報転送メッセージモジュール７０２は更に、ＲＲＣアイドルモードの間に、ＵＥのページング周期に従って、ｅＮＢからマルチキャスト情報転送メッセージを受信するように構成される。本開示の一部の実施形態において、マルチキャスト情報転送メッセージは、小データペイロードと、小データ伝送インジケータと、小データコマンド要求とのうち少なくとも１つを含むことができる。
【００６４】
一部の実施形態において、マルチキャスト情報転送メッセージモジュール７０２は、マルチキャスト情報転送メッセージ内の小データペイロードを読み取るように構成することができる。また、マルチキャスト情報転送メッセージモジュール７０２は、ＵＥのＲＲＣアイドルモードの間に物理的ダウンリンク制御チャネル（Physical  Downlink  Control  Channel：ＰＤＣＣＨ）をモニタリングすることができ、また、該マルチキャスト情報転送メッセージ該ｅＮＢから受信されたことを示すマルチキャスト無線ネットワーク一時識別子（ＭＣ−ＲＮＴＩ）を特定することができる。
【００６５】
一部の実施形態において、ＳＩＢモジュール７０４は、更新システム情報内の小データ伝送インジケータを読み取るように構成することができる。ここで、該更新システム情報は、ＵＥによってマルチキャスト情報転送メッセージに含まれて受信される。また、ＳＩＢモジュール７０４は、更新システム情報内の小データ伝送コマンド要求を読み取るように構成することができる。ここで、該更新システム情報は、ＵＥによってマルチキャスト情報転送メッセージに含まれて受信される。
【００６６】
一部の実施形態において、小データ伝送モジュール７０６は、マルチキャスト情報転送メッセージに含まれて受信された小データ伝送インジケータに応答して、ｅＮＢとの無線リソース制御（ＲＲＣ）接続を確立することにより、小データ伝送を行うように構成することができる。また、小データ伝送モジュール７０６は、該マルチキャスト情報転送メッセージの一部として受信された小データ伝送コマンド要求に応答して、該ＵＥにより該ｅＮＢへアップリンク測定データを送ることにより、小データ伝送を行うように構成することができる。
【００６７】
本発明の一部の実施形態において、例示的なユーザー装置（ＵＥ）７００は、ｅＮＢ（Evolved  Node  B）と通信するように構成することができる。ｅＮＢは、以下のような回路構成を有してよい。すなわち、移動管理体（Mobility  management  Entity：ＭＭＥ）からマルチキャスト情報転送メッセージを受信し、マルチキャスト情報転送メッセージをユーザー装置（ＵＥ）に送信する際に用いられるマルチキャスト無線ネットワーク一時識別子（ＭＣ−ＲＮＴＩ）を決定し（ＭＣ−ＲＮＴＩは、固定値と、ＭＭＥから受信される国際移動電話加入者識別番号（International  Mobile  Subscriber  Identity：ＩＭＳＩ）を用いてｅＮＢにおいて与えられる変数値とのうちの一方である）、ＵＥのＭＣ−ＲＮＴＩに基づいて、ｅＮＢからＵＥにマルチキャスト情報転送メッセージを送信するよう構成される回路構成を有してよい。
【００６８】
一実施形態において、マルチキャスト情報転送メッセージは、小データペイロードと、小データ伝送インジケータと、小データ伝送コマンド要求とのうち少なくとも１つを含むことができる。また、小データペイロードは、交通渋滞アプリケーションと、エネルギー消費アプリケーションと、住宅監視アプリケーションと、駐車案内アプリケーションと、電気的検針アプリケーションとのうち少なくとも１つを含むことができる。
【００６９】
一部の実施形態において、ｅＮＢは、特定のＵＥと、固定値のＭＣ−ＲＮＴＩに基づく単一のＵＥマルチキャストグループと、変数値のＭＣ−ＲＮＴＩに基づく複数のＵＥマルチキャストグループとのうち少なくとも１つにマルチキャスト情報転送メッセージを送信する回路構成を有してよい。ここで、ＭＣ−ＲＮＴＩは、Ｅ−ＵＴＲＡＮ（Evolved  Universal  Mobile  Telecommunications  System  Terrestrial  Radio  Access  Network）内の選択されたＵＥを特定するのに用いられる。
【００７０】
一部の実施形態において、本開示は、少なくとも１つの非一時的コンピューター可読媒体を有することができる。該少なくとも１つの非一時的コンピューター可読媒体は、マシン型通信（ＭＴＣ）対応のユーザー装置（ＵＥ）における小データ伝送を可能にするための命令を格納する。該命令は、マシンによって実行されると、該マシンに、ＭＴＣの小データ伝送に関するシステム情報を含むシステム情報ブロック（ＳＩＢ）を、ｅＮＢ（Evolved  Node  B）から該ＵＥにより受信するステップと、該ＵＥにより、該小データ伝送に関する該システム情報を含む前記ＳＩＢを読み取るステップと、該ＵＥによって読み取られた該システム情報に基づいて、前記ＵＥから前記ｅＮＢへの前記小データ伝送を実行するステップと、を実行させる。
【００７１】
一実施形態において、コンピューター可読媒体に含まれるシステム情報は、小データ伝送インジケータと、小データ伝送コマンド要求と、小データペイロードのうち少なくとも１つである。
【００７２】
一部の実施形態において、コンピューター可読媒体は、ＵＥの無線リソース制御（ＲＲＣ）アイドルモードの間にマルチキャスト情報転送メッセージをｅＮＢが受信することに基づいてＳＩＢを読み取るための命令を格納することができる。ここで、該マルチキャスト情報転送メッセージは、小データ伝送に関するシステム情報がＳＩＢに含まれることを示す。
【００７３】
図８は、モバイル通信デバイス（ユーザー装置（ＵＥ）、移動局（Mobile  Station：ＭＳ）、モバイル無線デバイス、タブレット、ハンドセットその他モバイル無線デバイス）の一例を示す図である。モバイルデバイスは、基地局（Base  Station：ＢＳ）、ｅＮＢ（Evolved  Node  B）その他無線広域ネットワーク（ＷＷＡＮ）のアクセスポイントと通信するように構成される１以上のアンテナを有してよい。図８には２つのアンテナが示されているが、モバイルデバイスは、１〜４以上のアンテナを有してよい。モバイルデバイスは、３ＧＰＰのＬＴＥ、ＷｉＭＡＸ（Worldwide  Interoperability  for  Microwave  Access）、ＨＳＰＡ（High  Speed  パケット  Access）、Ｂｌｕｅｔｏｏｔｈ（登録商標）及びＷｉ−Ｆｉのような、少なくとも１つの無線通信規格を用いて通信を行うように構成することができる。モバイルデバイスは、無線通信規格ごとに個別のアンテナを用いて通信を行うことも、複数の無線通信規格に対して共通のアンテナを用いて通信を行うこともできる。モバイルデバイスは、無線ローカルエリアネットワーク（ＷＬＡＮ）や無線パーソナルエリアネットワーク（ＷＰＡＮ）、無線広域ネットワーク（ＷＷＡＮ）等で通信を行うことができる。
【００７４】
図８にはマイクと１以上のスピーカーとが示されており、これらはモバイルデバイスの音声入出力に用いることができる。表示画面は、液晶ディスプレイ（ＬＣＤ）画面であってもよく、その他有機発光ダイオード（ＯＬＥＤ）ディスプレイ等の表示画面であってもよい。表示画面は、タッチスクリーンとして構成することができる。タッチスクリーンは、静電容量型や抵抗型等のタッチスクリーン技術を採用してよい。アプリケーションプロセッサ及びグラフィックプロセッサを内部メモリに接続して、処理機能及び表示機能を設けることができる。また、不揮発性メモリポートを用いて、ユーザーに対してデータ入出力オプションを提供することができる。また、不揮発性メモリポートを用いて、モバイルデバイスのメモリ機能を拡張してもよい。キーボードをモバイルデバイスと一体化したり、無線で接続したりして、付加的なユーザー入力を提供してよい。タッチスクリーンを用いて、仮想キーボードを提供してもよい。
【００７５】
当然ながら、本明細書に記載の機能的ユニットの多くがモジュールと称されるのは、それらが独立して実装され得ることをより具体的に強調するためである。例えば、モジュールは、超大規模集積回路（ＶＬＳＩ）、ゲートアレイ、既成の半導体（論理チップ、トランジスタ等）その他個別部品を有するハードウェア回路として実装されてよい。また、モジュールは、フィールドプログラマブルゲートアレイ、プログラマブル論理アレイ、プログラマブル論理素子等のプログラマブルハードウェア素子として実装されてもよい。
【００７６】
モジュールはまた、様々な種類のプロセッサにより実行されるソフトウェアとして実装されてよい。実行可能コードの特定モジュールは、例えば、コンピューター命令の物理ブロック又は論理ブロックを１以上有してよい。該コンピューター命令は、例えば、オブジェクト、プロシージャ又は関数として構成されてよい。
【００７７】
しかしながら、特定モジュールの実行ファイルは、物理的に同じ場所にある必要はなく、異なる場所に格納された異なる命令を含んでよい。該異なる命令は、論理的に一緒にされると、該モジュールを有し、該モジュールの上記目的を達成する。
【００７８】
実際には、実行可能コードのモジュールは、単一の命令であっても複数の命令であってもよく、更には、複数の異なるコードセグメント、異なるプログラム及び複数のメモリデバイスに分散されてよい。同様に、運用データは、本明細書に記載のようにモジュール内で特定してよく、任意の適切な形態で実施してよく、任意の適切な種類のデータ構造に構造化してよい。運用データは、単一のデータセットとして収集されてもよいし、異なる記憶装置等の異なる場所に分散されてもよいし、少なくとも部分的に単なる電気信号としてシステム上又はネットワーク上に存在してもよい。モジュールはパッシブであってもアクティブであってもよく、所望の機能を実行するように動作可能なエージェントを伴ってもよい。
【００７９】
本明細書全体において「一実施形態」又は「ある実施形態」という場合は、実施形態に関連して記載される具体的な特徴、構造又は特性が、本発明の少なくとも１つの実施形態に包含されることを意味する。よって、「一実施形態において」又は「ある実施形態において」という表現は、本明細書を通して様々な場所に用いられるが、全てが必ずしも同じ実施形態を指すわけではない。
【００８０】
本明細書で用いられるように、複数の項目、構造要素、組成要素及び／又は材料が、便宜上共通のリストに示される場合がある。しかしながら、このようなリストは、リストの各要素が別個の特有の要素として特定されるようなものとして解釈されるべきではない。したがって、そのようなリストのどの個別の要素も、断りなしに共通の群に示されるという理由のみで、同じリストの他の要素の事実上の均等物であるとは解釈されるべきではない。また、本発明の様々な実施形態及び例は、その様々な構成要素の代替と共に本明細書に記載される場合がある。当然ながら、そのような実施形態、例及び代替は、事実上の互いの均等物として解釈されるものではなく、本発明を個別に自立して表すものと解釈されるものである。
【００８１】
更に、記載の特徴、構造又は特性は、１以上の実施形態において任意の適切な方法で組み合わされてよい。以下に、本発明の実施形態を詳細に理解するために、材料、ファスナー、サイズ、長さ、幅、形状の例等の具体的詳細を多数記載する。しかし、当業者には当然であるように、該具体的詳細のうち１以上を欠いて本発明を実施することができ、或いは、他の方法、構成要素、材料等を追加して本発明を実行することができる。また、本発明の態様が分かりにくくなるのを避けるために、周知の構造、材料又は動作は詳細に示されていない。
【００８２】
上述の例は、本発明の原理を１以上の具体的な適用例で説明したものであるが、当業者には当然であるように、発明能力を発揮しなくとも、本発明の原理及び概念から逸脱することなく、実装の形態、利用及び詳細に関して多数の変更を行うことができる。したがって、以下の特許請求範囲に記載される場合を除いて、本発明は限定されるものではない。
【図１】
0005886471.tif 000002
【図２】
0005886471.tif 000003
【図３】
0005886471.tif 000004
【図４】
0005886471.tif 000005
【図５】
0005886471.tif 000006
【図６】
0005886471.tif 000007
【図７】
0005886471.tif 000008
【図８】
0005886471.tif 000009